(57)【要約】      （修正有）【課題】ロール状メモから切断したメモ紙に筆記する際、メモ紙がずれることなく、安定した筆記を可能とする筆記具を提供する。【解決手段】メモ紙が巻回されたロール状メモ１３が装着される、筆記具１であって、ロール状メモ１３は、メモ紙の裏面に粘着剤が塗布されて、メモ紙を所望または任意の長さに切断して粘着剥離可能に構成されるとともに、ロール状メモ１３は、ロール状メモ１３の端面に保持剤が塗布されてメモ紙が巻回された状態を保持するとともに、メモ紙を引き出してメモ紙が保持された状態を解消することができるように構成される。【選択図】図１０
0003190040.tif 000002
【実用新案登録請求の範囲】
【請求項１】
メモ紙が巻回されたロール状メモが装着される、筆記具であって、前記ロール状メモは、前記メモ紙の裏面に粘着剤が塗布されて、前記メモ紙を所望または任意の長さに切断して粘着剥離可能に構成されることを特徴とする筆記具。
【請求項２】
前記粘着剤は、附箋に用いられる粘着剤で構成される請求項１に記載の筆記具。
【請求項３】
前記粘着剤は、前記メモ紙の裏面全体に塗布される請求項１又は２に記載の筆記具。
【請求項４】
前記粘着剤は、前記メモ紙の巻回される方向に沿って前記メモ紙の裏面縁部に塗布される請求項１または２に記載の筆記具。
【請求項５】
前記ロール状メモは、パイプに前記メモ紙が巻回されて構成される請求項１から４の何れか一項に記載の筆記具。
【請求項６】
前記ロール状メモは、前記筆記具の外形の一部として構成される請求項１から５の何れか一項に記載の筆記具。
【請求項７】
前記ロール状メモは、前記ロール状メモの端面に保持剤が塗布されて前記メモ紙が巻回された状態を保持するとともに、前記メモ紙を引き出して前記メモ紙が保持された状態を解消することができるように構成される請求項１から６の何れか一項に記載の筆記具。
【請求項８】
前記保持剤は、前記ロール状メモの両端面に塗布される請求項７に記載の筆記具。
【請求項９】
前記保持剤は、天糊製本に用いられる接着剤で構成される請求項７または８に記載の筆記具。
【請求項１０】
前記筆記具は、複数個の前記ロール状メモが装着される請求項１から９の何れか一項に記載の筆記具。
【請求項１１】
前記ロール状メモは、前記ロール状メモの軸芯と前記筆記用具の軸芯とを一致させて配置される請求項１から１０の何れか一項に記載の筆記具。
【請求項１２】
前記筆記具は、ペン先側胴部と、ペン尻側胴部と、前記ペン先側胴部と前記ペン尻側胴部とを連結する連結部と、を備え、前記連結部は、前記ロール状メモに貫入して前記ロール状メモを前記筆記具に装着させるとともに、前記ペン先側胴部または前記ペン尻側胴部に着脱可能に構成される請求項１から１１の何れか一項に記載の筆記具。
【請求項１３】
前記ロール状メモは、前記ペン先側胴部と前記ペン尻側胴部とに、挟持される請求項１２に記載の筆記具。
【請求項１４】
前記ロール状メモは、前記連結部を回転軸にして回転可能に構成される請求項１２に記載の筆記具。
【請求項１５】
前記ロール状メモの直径は、前記ペン先側胴部の最大直径以下に設定される請求項１２から１４の何れか一項に記載の筆記具。
【請求項１６】
メモ紙が巻回されたロール状メモであって、前記メモ紙の裏面に粘着剤が塗布されて、前記メモ紙を所望または任意の長さに切断して粘着剥離可能に構成されることを特徴とするロール状メモ。
【請求項１７】
前記粘着剤は、附箋に用いられる粘着剤で構成される請求項１６に記載のロール状メモ。
【請求項１８】
前記粘着剤は、前記メモ紙の裏面全体に塗布される請求項１６または１７に記載のロール状メモ。
【請求項１９】
前記粘着剤は、前記メモ紙の巻回される方向に沿って前記メモ紙の裏面縁部に塗布される請求項１６または１７に記載のロール状メモ。
【請求項２０】
前記ロール状メモは、パイプにメモ紙が巻回されて構成される請求項１６から１９の何れか一項に記載のロール状メモ。
【請求項２１】
前記ロール状メモは、前記ロール状メモの端面に保持剤が塗布されて前記メモ紙が巻回された状態を保持するとともに、前記メモ紙を引き出して前記メモ紙が保持された状態を解消することができるように構成される請求項１６から２０の何れか一項に記載のロール状メモ。
【請求項２２】
前記保持剤は、前記ロール状メモの両端面に塗布される請求項２１に記載のロール状メモ。
【請求項２３】
前記保持剤は、天糊製本に用いられる接着剤で構成される請求項２１または２２に記載のロール状メモ。
【考案の詳細な説明】
【技術分野】
【０００１】
本考案は、メモ機能を有する筆記具に関する。
【背景技術】
【０００２】
従来、メモ機能を有する筆記具に関する技術は種々知られている。
前記筆記具には、メモ紙が巻回されたロール状メモが装着されるものが公知となっている（特許文献１参照）。
前記筆記具は、ロール状メモからメモ紙を所望または任意の長さに切断し、当該切断されたメモ紙に筆記するように用いられる。
【先行技術文献】
【特許文献】
【０００３】
【特許文献１】特開平１０−２０３０８３号公報
【考案の概要】
【考案が解決しようとする課題】
【０００４】
メモ機能を有する筆記具において、ロール状メモから切断したメモ紙に筆記する際、例えば、電話の使用時における片手での筆記や、外出時の強風の状態における筆記の際に、メモ紙がずれることにより安定した筆記が困難な場合がある。
そこで、本考案では、ロール状メモから切断したメモ紙に、安定した筆記を可能とする筆記具を提供する。
【課題を解決するための手段】
【０００５】
本考案の筆記具は、メモ紙が巻回されたロール状メモが装着される、筆記具であって、前記ロール状メモは、前記メモ紙の裏面に粘着剤が塗布されて、前記メモ紙を所望または任意の長さに切断して粘着剥離可能に構成される。
【０００６】
前記粘着剤は、附箋に用いられる粘着剤で構成される。
【０００７】
前記粘着剤は、前記メモ紙の裏面全体に塗布される。
【０００８】
前記粘着剤は、前記メモ紙の巻回される方向に沿って前記メモ紙の裏面縁部に塗布される。
【０００９】
前記ロール状メモは、パイプに前記メモ紙が巻回されて構成される。
【００１０】
前記ロール状メモは、前記筆記具の外形の一部として構成される。
【００１１】
前記ロール状メモは、前記ロール状メモの端面に保持剤が塗布されて前記メモ紙が巻回された状態を保持するとともに、前記メモ紙を引き出して前記メモ紙が保持された状態を解消することができるように構成される。
【００１２】
前記保持剤は、前記ロール状メモの両端面に塗布される。
【００１３】
前記保持剤は、天糊製本に用いられる接着剤で構成される。
【００１４】
前記筆記具は、複数個の前記ロール状メモが装着される。
【００１５】
前記ロール状メモは、前記ロール状メモの軸芯と前記筆記用具の軸芯とを一致させて配置される。
【００１６】
前記筆記具は、ペン先側胴部と、ペン尻側胴部と、前記ペン先側胴部と前記ペン尻側胴部とを連結する連結部と、を備え、前記連結部は、前記ロール状メモに貫入して前記ロール状メモを前記筆記具に装着させるとともに、前記ペン先側胴部または前記ペン尻側胴部に着脱可能に構成される。
【００１７】
前記ロール状メモは、前記ペン先側胴部と前記ペン尻側胴部とに、挟持される。
【００１８】
前記ロール状メモは、前記連結部を回転軸にして回転可能に構成される。
【００１９】
前記ロール状メモの直径は、前記ペン先側胴部の最大直径以下に設定される。
【００２０】
メモ紙が巻回されたロール状メモは、前記メモ紙の裏面に粘着剤が塗布されて、前記メモ紙を所望または任意の長さに切断して粘着剥離可能に構成される。
【００２１】
前記粘着剤は、附箋に用いられる粘着剤で構成される。
【００２２】
前記粘着剤は、前記メモ紙の裏面全体に塗布される。
【００２３】
前記粘着剤は、前記メモ紙の巻回される方向に沿って前記メモ紙の裏面縁部に塗布される。
【００２４】
前記ロール状メモは、パイプにメモ紙が巻回されて構成される。
【００２５】
前記ロール状メモは、前記ロール状メモの端面に保持剤が塗布されて前記メモ紙が巻回された状態を保持するとともに、前記メモ紙を引き出して前記メモ紙が保持された状態を解消することができるように構成される。
【００２６】
前記保持剤は、前記ロール状メモの両端面に塗布される。
【００２７】
前記保持剤は、天糊製本に用いられる接着剤で構成される。
【考案の効果】
【００２８】
本考案によれば、ロール状メモから切断したメモ紙に、安定した筆記を可能とする。
【図面の簡単な説明】
【００２９】
【図１】筆記具の正面図である。
【図２】筆記具の正面図における分解図である。
【図３】連結部及びペン先側胴部の一体成形を示す分解図である。
【図４】連結部及びペン尻側胴部の一体成形を示す分解図である。
【図５】メモ紙を示す図である。
【図６】メモ紙の別実施形態を示す図である。
【図７】メモ紙の別実施形態を示す図である。
【図８】ロール状メモの斜視図である。
【図９】ロール状メモの装着を示す図である。
【図１０】ロール状メモ使用時における説明図である。
【図１１】連結部に装着されるロール状メモの別実施形態を示す図である
【図１２】連結部に装着されるロール状メモの別実施形態を示す図である。
【考案を実施するための形態】
【００３０】
筆記具１は、例えば、シャープペンシル、ボールペン、万年筆などの筆記具にメモ紙が設けられる構造となっている。
【００３１】
図１または図２に示すように、筆記具１は、リフィル１１、リフィル１１を収納するケース１２、メモ紙が巻回されたロール状メモ１３を備える。
【００３２】
ケース１２は、リフィル１１の先端部を収容するペン先部２１、リフィル１１の末端部を収容するペン尻部２２、ペン先側胴部２１ａと、ペン尻側胴部２２ａと、ペン先側胴部２１ａとペン尻側胴部２２ａとを連結する連結部２３と、を備える。
【００３３】
本実施形態では、ペン先部２１とペン先側胴部２１ａとは、一体的に構成される。
ペン先部２１は、その先端からリフィル１１の先端（筆記部）を突出させることができるように、円筒形状を有するとともに、使用者が筆記しやすいようにペン先部２１の先端に向かうにつれて細くなる形状を有する。
ペン先側胴部２１ａは、ペン先部２１のペン尻部２２側に設けられる。
ペン先部２１及びペン先側胴部２１ａの内側には、リフィル１１の先端部を支持する円筒形状の支持部３１が形成される。支持部３１の一端（ペン尻側）は、その内周面に雌ネジ溝が形成されている。
なお、ペン先部２１及びペン先側胴部２１ａは別体として構成してもよい。
【００３４】
ペン尻側胴部２２ａは、その一端に小径の円筒を有し、その他端に大径の円筒を有し、互いの軸芯が一致するように、小径の円筒と大径の円筒とが一体的に成形される。
ペン尻側胴部２２ａの一端（小径の円筒の一端）の内周面に、雌ネジ溝が形成される。ペン尻側胴部２２ａの他端（大径の円筒の他端）の内周面に、雌ネジ溝が形成される。
【００３５】
ペン尻部２２は、略円筒形状に形成されるとともに、その一端の外周面に雄ネジ溝が形成される。ペン尻部は、その一端の雄ネジを、ペン尻側胴部２２ａの他端のメス螺子に螺着することによって、ペン尻側胴部２２ａに固定される。
ペン尻部２２の他端に、ペン先部２１側に向かって延出されるクリップ３２が設けられる。
【００３６】
連結部２３は、リフィル１１の中途部を収容する小径の円筒状に形成される。
連結部２３は、ペン先側胴部２１ａとペン尻側胴部２２ａとを連結する。連結部２３は、ペン先側胴部２１ａまたはペン尻側胴部２２ａに、着脱可能に構成される。
連結部２３は、その両端の外周面に雄ネジ溝が形成される。連結部２３は、その一端の雄ネジ溝とペン先側胴部２１ａにおける支持部３１の雌ネジ溝とを螺着することによって、ペン先側胴部に装着される。連結部２３は、その他端の雄ネジ溝とペン尻側胴部の一端の雌ネジ溝とを螺着することによって、ペン尻側胴部に装着される。
なお、連結部２３は、予め、ペン先側胴部またはペン尻側胴部と一体成形されて一体的に構成することもできる（図３及び図４参照）。
【００３７】
筆記具１は、ペン尻部２２をペン先部２１側にノックすることによってリフィル１１を軸方向に移動させる移動機構（図示しない）を備える。移動機構（図示しない）によって、リフィル１１をペン先側に移動させることで、ペン先部２１の先端からリフィル１１の先端を出し入れ可能としている。
なお、本実施形態では、移動機構を備えた筆記具１について説明しているが、移動機構を備えない筆記具１、つまり、常にリフィル１１の先端を突出させた状態（筆記可能な状態）を保持する筆記具１においても同様に適用できる。
【００３８】
図５に示すように、筆記具１に装着されるロール状メモ１３は、メモ紙４１を所望または任意の長さに切断して粘着剥離可能に構成される。
ロール状メモ１３は、テープ状に形成されたメモ紙４１が円筒状のパイプ４２の外周面に沿うように巻回されている。つまり、ロール状メモ１３は中空構造を有する円筒形状に構成されている。
以上のように、パイプ４２にメモ紙４１を巻回させることで、筆記具１の装着部にパイプ４２を介してメモ紙４１を設けることができるため、筆記具１の装着部に直接メモ紙４１を巻回させる必要がない。そのため、ロール状メモ１３の装着及び取替を容易に行うことができる。
【００３９】
図５に示すように、メモ紙４１をテープ状に構成することで、メモ紙４１を任意の長さに切断することができる。
なお、図６に示すように、ロール状メモ１３は、テープ状に構成されたメモ紙４１にミシン目４３を設けて構成することもできる。ミシン目４３が、メモ紙４１の短手方向に所望の間隔を空けて設けられている。ミシン目４３に沿って切断することで、所望の長さに切断することができる。
【００４０】
図５及び図６及び図７に示すように、メモ紙４１は、その片面（裏面）に粘着部４４を有する。メモ紙４１は、粘着部４４が設けられる面を軸芯に向けてパイプ４２に巻回される。粘着部４４には、附箋用の粘着剤が塗布される。附箋用の粘着剤とは、剥離後に再粘着可能であり、かつ、剥離した時に張り付けた対象に粘着剤が残留しない粘着剤を指す。粘着部４４に附箋用の粘着剤が塗布されることで、メモ紙４１を、附箋として利用することができる。
【００４１】
図５に示すように、粘着部４４は、メモ紙４１の片面（裏面）全面に設けられる。
このように、メモ紙４１の片面（裏面）全面に粘着剤が塗布されることで、メモ紙４１がパイプ４２に巻回された状態を保持することができる。
また、メモ紙４１の片面（裏面）全面に粘着部４４が設けられることで、ロール状メモ１３から切断したメモ紙４１を所望の場所に張り付けて筆記する際に、メモ紙４１がずれることを防止して、安定して筆記することができる。
なお、図６に示すように、粘着部４４は、メモ紙４１の片面（裏面）全体に均一に分散されるドット形に構成することもできる。
【００４２】
また、図７に示すように、粘着部４４は、メモ紙４１の巻回される方向に沿ってメモ紙４１の片面（裏面）縁部に設けることもできる。
メモ紙４１の裏面縁部とは、メモ紙４１の片面（裏面）で、かつ、短手方向一側を指す。
このように、メモ紙４１の短手方向一側に設けられる粘着部４４に上述した附箋用の粘着剤が塗布されることで、例えば、文書・書籍等の所望の位置に切断したメモ紙４１の一端（粘着部４４）を貼りつけるとともに、他端を文書・書籍等の外形から突出させるように配置することで、メモ紙４１をインデックスとして使用することもできる。
【００４３】
図８に示すように、ロール状メモ１３は、その端面（両端面）に保持剤が塗布される。
ロール状メモ１３の端面とは、メモ紙４１の短手方向端部が巻回された状態である円盤状に形成される面、つまり、軸芯方向面側の両面を指す。
保持剤４５は、天糊製本に用いられる接着剤を指す。天糊製本に用いられる接着剤とは、複数枚の紙の天部に塗布されて複数枚の紙を綴じるとともに、綴じられた状態から一枚ずつ紙を外すことができるものを指す。天糊製本に用いられる接着剤は、巻回されるメモ紙４１の一端（ロール状メモ１３の外周面に位置する端部）をロール状メモ１３の外周面に沿って剥離可能に接着する。
つまり、ロール状メモ１３は、保持剤４５が塗布されることで、メモ紙４１が巻回された状態を保持するとともに、メモ紙４１を引き出した部分は、メモ紙４１が保持された状態を解消することができるように構成される。そのため、筆記具使用時などにおいて、メモ紙４１が不用意にめくれることを抑制できる。
ロール状メモ１３の両端面に保持剤が塗布されることで、メモ紙４１がめくれることを確実に防止できる。
【００４４】
図９に示すように、ロール状メモ１３は、その軸芯と筆記具１の軸芯とを一致させて配置される。
本実施形態では、複数個（二個）のロール状メモ１３が装着される。
連結部２３の軸芯と二つのロール状メモ１３の各軸芯を一致させるように、二個のロール状メモ１３がペン先側胴部２１ａ側又はペン尻側胴部２２ａ側から連結部２３に貫入される。そして、連結部２３を介してペン先側胴部２１ａ及びペン尻側胴部２２ａを連結することで、ロール状メモ１３は、筆記具１に装着される。
【００４５】
連結部２３をペン先側胴部２１ａまたはペン尻側胴部２２ａに脱着可能な構成とすることで、連結部２３をペン先側胴部２１ａまたはペン尻側胴部２２ａから外して、ロール状メモ１３の交換を簡単に行うことができる。
また、ロール状メモ１３が筆記具１の外形の一部としてケース１２に収納されることなく剥き出しの状態で設けられるため、メモ紙４１が必要な場面において、メモ紙４１を取出しやすい。
【００４６】
図１０を用いてロール状メモ１３の使い方について説明する。
図１０（ａ）及び図１０（ｂ）に示すように、パイプ４２に巻回されるメモ紙４１の一端（外周面に位置する端部）をめくるとともに、図示される矢印の方向に引っ張る。
図１０（ｃ）に示すように、所望または任意の長さのメモ紙４１を手等によって切り取る。
そして、メモ紙４１を適当な箇所に張り付けて、該メモ紙４１に所望の内容を筆記具１を用いて筆記することができる。
【００４７】
なお、ロール状メモ１３の軸方向の長さを、連結部２３の軸方向の長さと同一の長さ、もしくは、連結部２３の軸方向の長さより長くすることで、ペン先側胴部２１ａ及び、ペン尻側胴部２２ａによって、ロール状メモ１３を挟持することができる。ロール状メモ１３を挟持することで、筆記具１を使用するときに、ロール状メモ１３が動かないため、筆記しやすい。
【００４８】
また、ロール状メモ１３の軸方向の長さを、連結部２３の軸方向の長さより短くすることで、ロール状メモ１３を連結部２３の軸芯を中心として回転可能に支持することができる。
【００４９】
ロール状メモ１３が回転自在に設けられることで、図１０（ａ）に示す状態において、筆記具１を手に持つとともに、ロール状メモ１３を矢印の方向に引っ張ることで、連結部２３の軸芯を中心としてロール状メモ１３が回転するため、容易にロール状メモ１３を取出すことができる。
【００５０】
図１１及び図１２に示すように、単数または複数個のロール状メモ１３を筆記具１に設けることができる。
図１１に示す別実施形態では、ロール状メモ１３が連結部２３に設けられる。
ロール状メモ１３は、連結部２３の軸方向の長さを最大幅として形成することができるため、幅の広いメモ紙４１を設けることができる。
図１２に示す別実施形態では、三つのロール状メモ１３が連結部２３に設けられる。
ロール状メモ１３の軸方向の長さは、それぞれ異なっているとともに、パイプ４２にそれぞれ色の違うロール状メモ１３を設けることで、幅広い用途に対応することができる。
【００５１】
以上のように、ロール状メモ１３の軸方向の長さや個数を変更することで、様々な用途に応じて使い分けができる。
また、連結部２３の長さを変更することで、さらに幅広い用途に合わせることができる。
【００５２】
なお、連結部２３に設けられるロール状メモ１３の直径は、ペン先部２１の最大直径
以下に設定されることが好ましい。
以上の構成にすることで、筆記具１を握りにくくなることを回避している。
【符号の説明】
【００５３】
１：筆記具、１１：リフィル、１３：ロール状メモ、２１ａ：ペン先側胴部、２２ａ：ペン尻側胴部、４１：メモ紙、４２：パイプ、４３：ミシン目、４４：粘着部、４５：保持剤
【図１】
0003190040.tif 000003
【図２】
0003190040.tif 000004
【図３】
0003190040.tif 000005
【図４】
0003190040.tif 000006
【図５】
0003190040.tif 000007
【図６】
0003190040.tif 000008
【図７】
0003190040.tif 000009
【図８】
0003190040.tif 000010
【図９】
0003190040.tif 000011
【図１０】
0003190040.tif 000012
【図１１】
0003190040.tif 000013
【図１２】
0003190040.tif 000014